(57)【特許請求の範囲】
【請求項１】
ベッドサイドに配備した物品収納庫と該収納庫を支持する支持体から成るベッドサイド物品収納ユニットであって、前記物品収納ユニットはベッドサイドに沿って移動可能であり、かつ前記物品収納庫は平面視でベッドマットレス外側となる待避位置と、少なくとも一部がベッドマットレス上方にある使用位置との間を移動自在であると共に前記収納庫は前記支持体に対し回動可能であり、前記収納庫をベッド外の領域からベッド上の内側よりに大きく移動させることができるように、前記収納庫の前記支持体に対する回動中心が該収納庫の中心位置から偏心した位置にあり、前記収納庫は取り出し側正面と上方が開口する箱体で構成され、かつ該収納庫の両側板はその上方部が傾斜構造となっていることを特徴とするベッドサイド物品収納ユニット。
【請求項２】
前記使用位置は最適到達領域内にある請求項１に記載のベッドサイド物品収納ユニット。
【請求項３】
前記収納庫は前記支持体に対し上下方向に調整可能である請求項１または２に記載のベッドサイド物品収納ユニット。
【請求項４】
前記収納庫は前記ベッドサイドに沿ってベッド中央位置より足側に寄った位置からベッド頭部位置近傍まで移動可能である請求項１ないし３のいずれかに記載のベッドサイド物品収納ユニット。
【請求項５】
前記収納庫には、少なくとも正面部が透明板で形成された引出しが設けられている請求項１ないし４のいずれかに記載のベッドサイド物品収納ユニット。
【発明の詳細な説明】
【０００１】
【発明の属する技術分野】
本発明は、ベッドサイドに配備したベッド利用者に必要な生活小物品等を収納した物品収納庫と、この収納庫を支持する支持体から成るベッドサイド物品収納ユニットに関する。
【０００２】
【従来の技術】
ベッド利用者に必要な生活小物品等を収納した物品収納庫を有したベッドサイド物品収納ユニットとして、例えば図９に示すようなものが知られていた。
【０００３】
図９（ａ）はサイドに物品収納具を有するベッド基台の上に載置した起立型プレスボトムの組立分解斜視図であり、図９（ｂ）は物品収納具のスライド部の組立分解斜視図であって、マットレスの下に敷かれる起立型プレスボトム０１は、背床部０１ａと、腰床部０１ｂと、これら両床部を可撓的に連結する可撓床部０１ｃから成り、背床部０１ａの両側端エッジ部０２にはレール部０４が形成されている。
【０００４】
このレール部０４は支持具０５をベッドサイドに沿って摺動可能に装架するもので、支持具０５は上下一対の断面鈎状突出片０５ａ（図９ｂ）でレール装着部を構成し、それぞれの支持具０５（３つ示されている）の上部に形成した挿入口０５ｂを介して物品収納具０６や手元スイッチ０７、あるいはサイドサポート０８等の支柱０６ａ，０７ａ，０８ａを受け入れ、固着具０９により支柱０６ａ〜０８ａを支持具０５に固定すると同時に、支持具０５をレール部０４に固定する。そして背床部０１ａを起立した状態あるいは平らに寝かせた状態の何れにあっても、ベッド利用者がベッドサイドに配設したこれら用具を使用し易い位置で使用するためには、付添人あるいは看護婦等が固着具０９をゆるめて物品収納具０６等をレール部０４に沿って使用し易い位置に移動し、固定するようになっていた。
【０００５】
【発明が解決しようとする課題】
しかしながら、従来のこのような物品収納具は、比較的身体に自由が利く患者が使用する限りにおいては問題がないが、仰臥位姿勢しかとれず寝起きに介護が必要なベッド利用者にとっては、物品収納具がベッドサイド部のレール上にあるため、仰臥位姿勢のままだと物品の出し入れに困難を伴うものであり、また、背床部を起立した状態で使用する場合には、人に頼んで物品収納具をレール部に沿って移動し直し、使用しやすい位置で再び固定してもらう手間を要した。また、図９に示されるような従来の物品収納具はベッドに平行で、かつ上から使用するようになっているため、仰臥位姿勢では見にくく出し入れしにくかった。
【０００６】
本発明は、上記のような問題点を解決するためになされたもので、ベッド上でベッド利用者がたとえ仰臥位姿勢のままであったとしても、苦痛を伴うことなく楽に物品の出し入れが可能で、かつ背床部を起こした状態で使用する場合でも、ベッド利用者自身が楽に物品収納具の位置を変更できるベッドサイド物品収納ユニットを提供することを目的とする。
【０００７】
【課題を解決するための手段】
上記課題を解決するために、本発明のベッドサイド物品収納ユニットは、ベッドサイドに配備した物品収納庫と該収納庫を支持する支持体から成るベッドサイド物品収納ユニットであって、前記物品収納ユニットはベッドサイドに沿って移動可能であり、かつ前記物品収納庫は平面視でベッドマットレス外側となる待避位置と、少なくとも一部がベッドマットレス上方にある使用位置との間を移動自在であると共に前記収納庫は前記支持体に対し回動可能であり、前記収納庫をベッド外の領域からベッド上の内側よりに大きく移動させることができるように、前記収納庫の前記支持体に対する回動中心が該収納庫の中心位置から偏心した位置にあり、前記収納庫は取り出し側正面と上方が開口する箱体で構成され、かつ該収納庫の両側板はその上方部が傾斜構造となっていることを特徴としている。
この特徴により、収納庫の支持体に対する回動中心が該収納庫の中心位置から偏心した位置にあるようにするという簡単な構成で、ベッド利用者が仰臥位姿勢のままでも、物品収納庫に手が届くようにベッドサイド物品収納ユニットを配置することができると共に、一時的にベッドマットレス外に待避して、ベッドメーキングや診療等の邪魔にならないようにすることもできる。更に収納庫が取り出し側正面と上方が開口する箱体で構成され手で容易に収納物品を直接取り、あるいは収納することができ、また両側板上方部が傾斜しているので、見舞客や看護人が誤って物を載せたり手をついたりすることがない。
【０００８】
本発明のベッドサイド物品収納ユニットは、前記使用位置が最適到達領域内にあることが好ましい。
このようにすることにより、利用者の身体的特徴に基づく最適到達領域内に物品収納庫を位置させることで、苦痛を伴うことなく楽に物品の出し入れができる。
【００１１】
本発明のベッドサイド物品収納ユニットは、前記収納庫が前記支持体に対し上下方向に調整可能であることが好ましい。
このようにすることにより、ベッドマットレスの厚さやレール部の取付位置あるいは手すりの高さに合わせて取付高さの初期調整が可能であり、またベッドの背床部を起こした時に取り出しやすい位置に高さ調整したり、膝を屈曲した場合に膝等が物品収納庫にぶつからないような調整も自由にできる。
【００１２】
本発明のベッドサイド物品収納ユニットは、前記収納庫が前記ベッドサイドに沿ってベッド中央位置より足側に寄った位置からベッド頭部位置近傍まで移動可能であることが好ましい。
このようにすることにより、ベッドの背床部を起こした時に物品収納庫を足側に寄せて使用することができ、また、この物品収納庫を頭部側に寄せることで診察や看護等の邪魔にならないばかりでなく、ベッド利用者がベッドから降り乗りするときも障害物とならない。
【００１４】
本発明のベッドサイド物品収納ユニットは、前記収納庫には、少なくとも正面部が透明板で形成された引出しが設けられていることが好ましい。
一般に物品収納庫の上段部は、その奥側にある物品が取り出しにくいが、このように引出しを利用することで、奥側にある物品も引き出せるから、例えば中段から上段にかけてこのような引出しを設ければ、所定収納庫容積に対して十分な収納量を確保でき、且つ小物類も整理して引出し内に収納でき、しかも中が見えるので使い勝手がよい。
【００１５】
【発明の実施の形態】
以下、実施の形態を挙げ図面に基づいて本発明のベッドサイド物品収納ユニットについて説明する。
【００１６】
図１は本発明のベッドサイド物品収納ユニットを具備したベッド全体の斜視図であり、図２はベッド利用者が仰臥位姿勢をとった場合の、物品の出し入れがしやすい扇状の領域と物品収納ユニットの位置関係を示した平面図である。
【００１７】
図１において、ベッド本体１のサイド側には柵体２と物品収納ユニット４が設けられており、この物品収納ユニット４は物品収納庫５とそれを支持する支持体６から成り、この支持体６はベッド本体１のサイド側に取り付けたレール部７に矢印Ｘ方向（頭足方向）に移動できるように支持されている。
【００１８】
物品収納庫５は後でその構造については詳記するが、上述の如く支持体６と共にＸ方向に移動できるし、矢印Ｙ方向（上下方向）にも移動可能であり、かつＺ方向に回動できるようになっている。そして、物品収納庫５は、図１によれば、ベッド利用者が仰臥位姿勢をとった場合に、左手で物を出し入れするような位置に配置されているが、右手で出し入れするには柵体２側に物品収納ユニット４を取り付けて使用することは当然である。この場合、柵体２は背の低いものであれば、そのままの状態で使用可能であり、背の高い柵体であれば、柵体もレール部によって摺動可能に支持して、足下側に移動させておくこともできる。しかしながら、一番好ましい例としては、背の低い柵体を両ベッドサイドに設け、物品収納庫を左右どちらのサイドにも配置できるようにしておくことである。
【００１９】
図２において、実線で示された物品収納庫５はべッドマットレス３の外側の待避位置にあり、しかもヘッドボード１ａ側に寄せられているため、サイド側は大きくスペースが空けられている。これにより診察や治療行為に物品収納庫５が邪魔にならず、またベッド利用者である患者自身のベッドからの出入りを容易にしている。そして２点鎖線で示された物品収納庫は、仰臥位姿勢をとっているベッド利用者に対して物品の出し入れしやすい使用位置に移動した状態を示している。
【００２０】
手の移動範囲は肩関節中心ｏを回転中心として上肢長Ｌ（１）を半径とした円弧で形成される領域であるが、物の取り出し易さを考慮すると、肩関節中心ｏから体軸方向を０度とした場合に、上肢を軽くのばして楽に外転できる体軸線に対して７０度までの範囲と、無理なく見える体軸線に対して２０度以上の範囲とで囲まれる扇形の範囲のうち、近位限界である上腕長Ｌ（２）が描く扇形の範囲を除いた扇状領域ａが出し入れしやすい最適な領域（以下この領域を「最適到達領域」と定義する）であることが実験的に知見された。
【００２１】
図３はベッドの中心を基準とした水平面内の身体寸法別最適到達領域を示したものであり、図４は前記両領域を算出するための成人男性（９５％）と高齢女性（５％）の肩から指先まで所要寸法を示した表である。
【００２２】
図３においてｐはベッドの左右間の中心でありかつ頭足間の中心でもある。ｏは成人男性の肩関節中心位置を表し、ｑは高齢女性の肩関節中心位置を表している。肩関節中心ｏ（ｑ）を回転中心として、肩関節中心ｏ（ｑ）から指尖点ｏ’（ｑ’）までの距離Ｌ（１）が描く円弧が最大到達位置であり、肩関節中心ｏ（ｑ）から橈骨点ｏ”（ｑ”）までの距離をＬ（２）として、肩関節中心ｏ（ｑ）を回転中心として半径Ｌ（２）が描く扇状の範囲は取り出し難い範囲であり、近位限界が形成される。そして、図４からＬ（１）＝７５ｃｍ，Ｌ（２）＝３１ｃｍとして点ｏを中心として円弧を描き、楽に外転できる体軸線に対して７０度までの範囲と、無理なく見える体軸線に対して２０度以上の範囲とで囲まれる領域ｂが成人男性の最適到達領域となり、同じくＬ（１）＝５６ｃｍ，Ｌ（２）＝２２ｃｍとして点ｑを中心として円弧を描き、楽に外転できる体軸線に対して７０度までの範囲と、無理なく見える体軸線に対して２０度以上の範囲とで囲まれる領域ｃが高齢女性の最適到達領域となる。
【００２３】
以上、成人を対象とした最適到達領域を数値的に求めたが、成人男性と高齢女性の両者が共に満足するような領域で物品収納庫を使用するのか、あるいは高齢者のみを対象にするのかによってその最適到達領域は相異するが、いずれにしても物品収納庫がどのような患者に対しても、その人に最もふさわしい最適到達領域内に配置可能なように構成されていることが重要である。
【００２４】
今までは平面での最適到達領域について述べてきたが、次にベッドマットレス３からどのくらいの高さ位置にあると物品の出し入れが容易であるかについて述べる。
【００２５】
図５はＬ（１）が６６ｃｍ、Ｌ（２）が２３ｃｍの健常被験者による高さの違いによる手の移動の安楽度と見やすさの実験計測結果であって、（ａ）は高さ２０ｃｍの場合、（ｂ）は高さ１０ｃｍの場合を示している。
【００２６】
見やすさの実験は、仰臥位姿勢の被験者が首の姿勢を無理のない位置に保ち、ベッドマットレス３からの高さを変えながら各位置の見やすさを判断させた。
【００２７】
図５（ａ）からも判るように高さが２０ｃｍでは、辛さを伴わない手の移動の範囲は見やすさが「普通」である範囲とほぼ重なるが、高さが１５ｃｍより低くなると見やすさの範囲は次第に狭くなり、高さ１０ｃｍでは図５（ｂ）に示すように、両者の重なりはほとんどなくなる。一方、高さが３０ｃｍを越えると腕を高く上げるための負担が大きくなり、かつ最大到達距離が短くなる。
【００２８】
以上、視野と到達域とを総合的に考察して、高さは１５ｃｍから３０ｃｍ程度のところに物品収納庫を位置させるのがふさわしい。また、収納庫内の物品の配置の仕方も、見やすさと手の移動の安楽度とを考慮して、例えば、足部側は雑誌等の少し大きめの物を、見やすい頭側の方には時計や体温計など小物製品を置くと便利である。
【００２９】
上述の如く最適到達領域が決定できれば、それに適した物品収納庫の形状が設定できる。図６は肩関節中心ｏから上肢長Ｌ（１）と上腕長Ｌ（２）を考慮した扇状の到達領域内に最大どのくらいの収納面積（一般に長方形）がとれるかを示したもので、物品収納庫の奥行きは手の大きさから２０ｃｍ以下が適当であるとして、高齢女性のための収納庫の巾、即ち、長方形ｈｉｊｋの巾ｗは、Ｌ（１）ｃｏｓφ＝ｘ＋２０・・・・イ、Ｌ（１）ｓｉｎφ＝ｗ／２・・・・ロ、ｘｔａｎθ／２＝ｗ／２・・・・ハより、Ｌ（１）に５６ｃｍ、θに５０度を代入してｘを求めると３４ｃｍとなりｗは３２ｃｍとなる。
【００３０】
次に図７，８により物品収納ユニットの構造と機能について述べる。図７は図２のＡ−Ａ方向から見た物品収納ユニットの側面図であり、図８は物品収納ユニットの分解組立斜視図である。
【００３１】
物品収納ユニット４はその収納庫５が支持体６に対して回動できるように回転軸５ａが収納庫の底面に設けられている。回転軸５ａは軸受けの機能を果たすパイプスペーサ５ｂ（図８）を介して支持体６の支柱部に挿入されている。このように回動が可能なことで、物品収納庫の正面をベッド利用者の見やすい視線方向で、かつ取り出しやすい手の向きに合わせたり、逆に、ベッドの背床部を起こした時にはぶつからないように逆方向に回動させて待避することもできる。
【００３２】
物品収納庫５は本体が例えばアクリルの透明板で形成され、収納物品が外部から見えるようになっている。しかも物品を出し入れしやすいように、取り出し側正面と上方が開放した箱状体で構成されている。この収納庫５の中間部には両側板５ｃに設けたレール５ｃ’に引出し５ｄが滑動自在に支持されている。引出し５ｄは物品収納庫５の中間部から上方に設けると収納効率がよくなる。即ち物品収納庫の上方部は、その奥側に配置した物品が取り出しにくいが、引出しにしておけば、奥側の物品も手前に引き出すことができる。
【００３３】
引出し５ｄの前面には取り出し正面側に向かって引き出しやすいように上下に突出した透明な正面板５ｄ’が設けられている。これにより掌を上に向けても下に向けても指先が正面板５ｄ’の突出部に引っ掛かり引出しの操作を楽にしている。また正面板５ｄ’が透明であるから引出し内も正面からよく見えるようになっている。また、両側板５ｃは上方から取り出し側正面に向かって円弧状に傾斜しており、これにより見舞客や看護人が誤って物を載せたり手をついたりすることがない。そして両側面板５ｃには物品収納庫５の移動を容易にするために大ハンドル５ｃ−１、小ハンドル５ｃ−２及びティシュ受け５ｃ−３が取り付けられている。
【００３４】
一方、回転軸５ａは矩形の取付部５ａ’を介して収納庫５の底板５ｅにネジ等で固着されている。ここで重要なことは、回転軸５ａの取付位置が底板５ｅの中央でなく、図２に示されているように、頭部側の偏心した位置に寄せられているということである。このことにより、頭部側にある待避位置で、物品収納庫５の正面を足側に向けても物品収納庫５が顔側に出っ張ることはない。そしてこの収納庫５の幅が一定である場合に、回転軸５ａがベッドの外側にあっても、収納庫５が回動するとベッドマットレス３上に収納庫５の一部が大きく進入することになる。従って、物品収納庫５の使用時にはベットマットレス３上方の最適到達領域まで移動でき、且つ一時的にベッドマットレス３外に待避して、ベッドメーキングや診療等の邪魔にならないようにすることができる。
【００３５】
上述の説明では、頭部側に偏心位置をずらしているが、左右どちらのベッドサイドにも用いることができるようにするには、回転軸を図２の破線５’ａで示すように幅方向中央でベッドよりに設けるようにしてもよい。このように構成すると、対称形であるので、逆側のベッドサイドにそのまま用いることができる。
【００３６】
レール部７はレール体７ａとベッドサイド部に固定したレール保持部７ｂから成り、レール体７ａはレール保持部７ｂにネジ止めされている。図８に示すように、支持体６の先端部に形成した突出部６ａがレール体７ａの凹溝７ａ’に摺動自在に嵌合しているため、ベッド利用者自身が物品収納庫５をベッドサイドに沿って任意の位置まで移動することができる。レール部７の長さは、物品収納庫５がベッド中央位置より足側に寄った位置からベッド頭部位置近傍まで移動可能なように設けられている。これにより、背床部を起こした時には足側に寄せ、診察時等には頭部側に寄せておくことができる。
【００３７】
また、図示していないが、物品収納庫５は支持体６に対して高さ方向に調節自在に構成されている。具体的には、支持体６の支柱部に挿入されているパイプスペーサ５ｂの挿入長さを変えたり、支持体６を伸縮自在のパイプにしたりして物品収納庫５の高さ位置を変えることができる。このように構成することで、利用者の体格に応じて調整できるばかりでなく、ベッドマットレスの厚さやレール部の取付位置あるいは手すりの高さに合わせて取付高さの初期調整が可能であり、ベッドの背床部を起こした時に物品の取り出しやすい位置に高さ調整したり、膝を屈曲した場合に膝等がぶつからないような調整も自由にできる。
【００３８】
以上、本発明の実施例を図面により説明してきたが、具体的な構成はこれら実施例に限られるものではなく、本発明の要旨を逸脱しない範囲における変更や追加があっても本発明に含まれる。例えば、本実施例ではベッドサイドに配備した物品収納ユニットの物品収納庫がベッドサイドに設けたレール部７によりベッドサイドに沿って移動できるようにしているが、特にレール部を設けることなく、支持体６が車輪に支持されて床面上を直接走行しうるように構成してもよい。また、物品収納庫の両側板はその上方部が円弧状の傾斜構造となっているが、円弧状でなく直線状であってもよく、またその傾斜の向きは必ずしも取り出し側正面に向かって下り傾斜とする必要はない。更に付け加えると、物品収納庫はアクリルの透明板で形成しているが、材質は木製でもよく、必ずしも透明板で構成する必要もない。
【００３９】
【発明の効果】
本発明は次の効果を奏する。
【００４０】
（ａ）請求項１の発明によれば、収納庫の支持体に対する回動中心が該収納庫の中心位置から偏心した位置にあるようにするという簡単な構成で、ベッド利用者が仰臥位姿勢のままでも、物品収納庫に手が届くようにベッドサイド物品収納ユニットを配置することができると共に、一時的にベッドマットレス外に待避して、ベッドメーキングや診療等の邪魔にならないようにすることもできる。更に収納庫が取り出し側正面と上方が開口する箱体で構成され手で容易に収納物品を直接取り、あるいは収納することができ、また両側板上方部が傾斜しているので、見舞客や看護人が誤って物を載せたり手をついたりすることがない。
【００４１】
（ｂ）請求項２の発明によれば、利用者の身体的特徴に基づく最適到達領域内に物品収納庫を位置させることで、苦痛を伴うことなく楽に物品の出し入れができる。
【００４４】
（ｃ）請求項３の発明によれば、ベッドマットレスの厚さやレール部の取付位置あるいは手すりの高さに合わせて取付高さの初期調整が可能であり、またベッドの背床部を起こした時に取り出しやすい位置に高さ調整したり、膝を屈曲した場合に膝等が物品収納庫にぶつからないような調整も自由にできる。
【００４５】
（ｄ）請求項４の発明によれば、ベッドの背床部を起こした時に物品収納庫を足側に寄せて使用することができ、また、この物品収納庫を頭部側に寄せることで診察の邪魔にならないばかりでなく、ベッド利用者がベッドから降り乗りするときも障害物とならない。
【００４７】
（ｅ）請求項５の発明によれば、一般に物品収納庫の上段部は、その奥側にある物品が取り出しにくいが、このように引出しを利用することで、奥側にある物品も引き出せるから、例えば中段から上段にかけてこのような引出しを設ければ、所定収納庫容積に対して十分な収納量を確保でき、且つ小物類も整理して引出し内に収納でき、しかも中が見えるので使い勝手がよい。
【図面の簡単な説明】
【図１】本発明のベッドサイド物品収納ユニットを具備したベッド全体の斜視図である。
【図２】ベッド利用者が仰臥位姿勢をとった場合の、物品の出し入れがしやすい扇状の領域と物品収納ユニットの位置関係を示したベッド平面図の一部である。
【図３】ベッドの中心を基準とした水平面内の身体寸法別最適到達領域を示した図である。
【図４】成人男性（９５％）と高齢女性（５％）の肩から指先まで所要寸法を示した表である。
【図５】高さの違いによる手の移動の安楽度と見やすさの実験計測結果であって、（ａ）は高さ２０ｃｍの場合、（ｂ）は高さ１０ｃｍの場合を示している。
【図６】物品収納庫のサイズを決めるための説明図。
【図７】図２のＡ−Ａ方向から見た物品収納ユニットの側面図である。
【図８】本発明の物品収納ユニットの分解組立斜視図である。
【図９】（ａ）はサイドに物品収納具を有するベッド基台の上に載置した従来の起立型プレスボトムの組立分解斜視図である。
（ｂ）は図（ａ）における従来の物品収納具のスライド部の組立分解斜視図である。
【符号の説明】
１                      ベッド本体
２                      柵体
３                      ベットマットレス
４                      物品収納ユニット
５                      物品収納庫
５ａ                    回転軸
５ａ’                  取付部
５ｂ                    パイプスペーサ
５ｃ                    側板
５ｃ’                  レール
５ｃ−１                大ハンドル
５ｃ−２                小ハンドル
５ｃ−３                ティシュ受け
５ｄ                    引出し
５ｄ’                  正面板
５ｅ                    底板
６                      支持体
６ａ                    突出部
７                      レール部
７ａ                    レール体
７ａ’                  凹溝
７ｂ                    レール保持部
【図１】
0004865162.tif 000002
【図２】
0004865162.tif 000003
【図３】
0004865162.tif 000004
【図４】
0004865162.tif 000005
【図５】
0004865162.tif 000006
【図６】
0004865162.tif 000007
【図７】
0004865162.tif 000008
【図８】
0004865162.tif 000009
【図９】
0004865162.tif 000010